(57)【特許請求の範囲】
【請求項１】
操向ホイールの操舵力を調節するユーザ選択部と、
前記操向ホイールの操向に対応してラックを駆動する駆動モータ部と、
車両のＣＡＮ通信を通じて入力された操向トルクおよび車速を利用して、前記駆動モータ部を制御する車速別駆動トルクを生成する基本電流マップによって生成された車速別駆動トルクに比べて所定の縮小比率で縮小された駆動トルクを生成する付加電流マップを備え、前記付加電流マップを利用して前記ユーザ選択部によって調節された調節信号に対応する調節トルクを生成し、生成された前記調節トルクによって前記基本電流マップによって生成された車速別駆動トルクを調節する付加機能論理回路と、車両の走行状態に対応し、前記付加機能論理回路によって調節された調節駆動トルクのトルク量を増減することによって調節駆動トルクを補償する駆動トルク補償マップと、前記駆動トルク補償マップによって補償された補償駆動トルクによって前記駆動モータ部を制御する駆動論理回路と、を備えた制御部と、
を含むことを特徴とする電動式操向装置。
【請求項２】
操向ホイールの操舵力を調節するユーザ選択部と、
前記操向ホイールの操向に対応してラックを駆動する駆動モータ部と、
車両のＣＡＮ通信を通じて入力された操向トルクおよび車速を利用して、前記駆動モータ部を制御する車速別駆動トルクを生成する基本電流マップと、車両の走行状態に対応して、前記基本電流マップによって生成された車速別駆動トルクのトルク量を増減することによって駆動トルクを補償する駆動トルク補償マップと、前記基本電流マップによって生成された車速別駆動トルクに比べて所定の縮小比率で縮小された駆動トルクを生成する付加電流マップと、を備え、前記付加電流マップを利用して前記ユーザ選択部によって調節された調節信号に対応する調節トルクを生成し、生成された前記調節トルクによって前記駆動トルク補償マップによって補償された補償駆動トルクを調節する付加機能論理回路と、前記付加機能論理回路によって調節された調節駆動トルクを利用して前記駆動モータ部を制御する駆動論理回路と、を備えた制御部と、
を含むことを特徴とする電動式操向装置。
【請求項３】
前記付加機能論理回路において、前記付加電流マップは、前記ＣＡＮ通信を通じて入力された操向トルクおよび車速に対応して前記基本電流マップによって生成された車速別駆動トルクに比べて所定の縮小比率で縮小された縮小駆動トルクを生成し、前記調節トルクは、前記縮小駆動トルクを前記調節信号によって調節する調節段によって生成されることを特徴とする請求項１又は２に記載の電動式操向装置。
【請求項４】
前記調節段は、前記調節信号に対応して前記縮小駆動トルクを所定の比率で増幅することを特徴とする請求項３に記載の電動式操向装置。
【請求項５】
前記ユーザ選択部は、前記制御部による駆動トルクの調節のために電流の大きさを段階的に変化させる多段スイッチの形態で設けられることを特徴とする請求項１又は２に記載の電動式操向装置。
【請求項６】
前記ユーザ選択部の調節に対応する前記操向ホイールの操舵力の変更状態を表示する表示部を更に含み、
前記制御部は、前記ユーザ選択部によって調節された調節信号によって変更される操向ホイールの操舵力を算出し、この算出された操向ホイールの操舵力に対応する画像が表示されるように表示部を制御する表示論理回路を更に備えることを特徴とする請求項１又は２に記載の電動式操向装置。
【発明の詳細な説明】
【技術分野】
【０００１】
本発明は電動式操向装置に係り、より詳しくは、ユーザインターフェースを備え、使用者による操向ホイールの操舵力の調節が可能な電動式操向装置に関する。
【背景技術】
【０００２】
電動式操向装置（Ｍｏｔｏｒ  Ｄｒｉｖｅｎ  Ｐｏｗｅｒ  Ｓｔｅｅｒｉｎｇ：ＭＤＰＳ）は、電動式モータによって操向ホイールの操舵力を補助する装置である。最近の電動式操向装置は、速度に応じて操舵力を変更する基本ロジックの他にも、走行状況に応じて運転者の利便性を向上させるために、運転者による調節が可能な付加機能ロジックを備えている。
【０００３】
このような従来の付加機能ロジックは、基本ロジックから算出されたモータ電流量を運転者の調節に対応して増減することを基本原理としている。
【０００４】
しかし、従来の付加機能ロジックは、基本ロジックによって導き出されたモータ電流量に、単純に運転者の調節によって決定された一定の大きさの電流値を加えたり引いたりする画一的な方式を用いている。このために、従来の付加機能ロジックは、基本ロジックの算出根拠を適切に反映することができなくなり、かえって運転者の操舵力が悪くなるという結果を招くことがある。
【先行技術文献】
【特許文献】
【０００５】
【特許文献１】韓国公開特許第１０−２００９−００２７０１２号公報
【発明の概要】
【発明が解決しようとする課題】
【０００６】
本発明は、基本ロジックによって生成された補助トルク量の算出根拠を反映しながら、運転者の選択による操舵力の調節が可能なユーザインターフェースを備えた、運転者による調節が可能な電動式操向装置を提供することを目的とする。
【課題を解決するための手段】
【０００７】
上述したような目的を達成するための本発明の電動式操向装置は、
（１）操向ホイールの操舵力を調節するユーザ選択部と、（２）操向ホイールの操向に対応してラックを駆動する駆動モータ部と、（３）車両のＣＡＮ通信を通じて入力された操向トルクおよび車速を利用して駆動モータ部を制御する車速別駆動トルクを生成する基本電流マップと、基本電流マップを所定の縮小比率で縮小した付加電流マップを備え、付加電流マップを利用してユーザ選択部によって調節された調節信号に対応する調節トルクを生成し、生成された調節トルクによって基本電流マップによって生成された駆動トルクを調節する付加機能ロジックと、車両の走行状態に対応して付加機能ロジックによって調節された調節駆動トルクを補償する駆動トルク補償マップと、駆動トルク補償マップによって補償された補償駆動トルクによって駆動モータ部を制御する駆動ロジックと、を備えた制御部と、
を含むことを特徴とする。
【０００８】
また本発明の電動式操向装置は、
（１）操向ホイールの操舵力を調節するユーザ選択部と、（２）操向ホイールの操向に対応してラックを駆動する駆動モータ部と、（３）車両のＣＡＮ通信を通じて入力された操向トルクおよび車速を利用して駆動モータ部を制御する車速別駆動トルクを生成する基本電流マップと、車両の走行状態に対応して基本電流マップによって生成された駆動トルクを補償する駆動トルク補償マップと、基本電流マップを所定の縮小比率で縮小した付加電流マップを備え、付加電流マップを利用してユーザ選択部によって調節された調節信号に対応する調節トルクを生成し、生成された調節トルクによって駆動トルク補償マップによって補償された補償駆動トルクを調節する付加機能ロジックと、付加機能ロジックによって調節された調節駆動トルクを利用して駆動モータ部を制御する駆動ロジックと、を備えた制御部と、
を含むことを特徴とする。
【０００９】
また本発明は、付加機能ロジックにおいて、付加電流マップは、ＣＡＮ通信を通じて入力された操向トルクおよび車速に対応して基本電流マップによって生成される駆動トルクに比べて縮小比率だけ縮小された縮小駆動トルクを生成し、調節トルクは、縮小駆動トルクを調節信号によって調節する調節段によって生成される。ここで、調節段は、調節信号に対応して縮小駆動トルクを所定の比率で増幅する。
【００１０】
また本発明は、ユーザ選択部が、制御部による駆動トルクの調節のために電流の大きさを段階的に変化させる多段スイッチの形態で設けられ、
制御部が、ユーザ選択部によって調節された調節信号によって変更される操向ホイールの操舵力を算出し、この算出された操向ホイールの操舵力に対応する画像が表示されるように表示部を制御する表示ロジックを更に備えることを特徴とする。
【発明の効果】
【００１１】
このように、本発明は、付加電流マップを備えた付加機能ロジックにより、駆動モータ部の駆動のための基本ロジックによって生成された補助トルク量の算出根拠を反映して運転者の選択による操舵力の調節を実行することにより、運転者の運転の利便性を向上させることができる。
【図面の簡単な説明】
【００１２】
【図１】本発明の第１実施形態に係る電動式操向装置に対するブロック図である。
【図２】本発明の第１実施形態に係る付加機能ロジックによる調節トルクの生成過程を説明するためのブロック図である。
【図３】本発明の第２実施形態に係る電動式操向装置に対するブロック図である。
【発明を実施するための形態】
【００１３】
以下に、添付の図面を参照しながら、本発明の実施形態に係る電動式操向装置について詳細に説明する。
図１は、本発明の第１実施形態に係る電動式操向装置に対するブロック図である。図１に示すように、本実施形態に係る電動式操向装置１００は、ユーザ選択部１１０、駆動モータ部１２０、および制御部１３０で構成される操向ホイールの操舵力を補助する操向装置であって、トルク補償によって運転者の操向力を最適化する。
【００１４】
ユーザ選択部１１０は、運転者が操向ホイールの操舵力を調節するユーザインターフェースであって、駆動トルクの調節のために電流の大きさを段階的に変化させる多段スイッチの形態で設けられ、運転者の入力に対応する調節信号を生成して制御部１３０に伝達する。
【００１５】
駆動モータ部１２０は、制御部１３０に制御されて駆動され、操向ホイールの操向に対応してラックを駆動することによって車両を駆動する。
制御部１３０は、図１に示すように、基本電流マップ１３２、付加機能ロジック１３４、及び駆動トルク補償マップ１３６に分けられ、電動式操向装置１００の全般的な動作を制御する。なお、このような機能上の区分は説明の便宜のためのものであり、制御部１３０は、このようなモジュールのみに区分されて限定されることはない。
【００１６】
基本電流マップ１３２は、車両のＣＡＮ通信を通じて入力された操向トルクおよび車速を利用して、ラックと連動した駆動モータ部１２０を制御する車速別駆動トルクを生成するように事前に設定される。
【００１７】
付加機能ロジック１３４は、基本電流マップ１３２を所定の縮小比率で縮小した付加電流マップ１３４２を備え、この付加電流マップ１３４２を利用してユーザ選択部１１０によって調節された調節信号に対応する調節トルクを生成する。付加機能ロジック１３４は、生成された調節トルクにより、基本電流マップによって生成された駆動トルクを調節する。付加機能ロジックによって調節された調節駆動トルクは、駆動トルク補償マップ１３６によって処理される。
【００１８】
図２は、本発明の第１実施形態に係る付加機能ロジックによる調節トルクの生成過程を説明するためのブロック図である。図２を参照しながら、付加機能ロジック１３４による調節（駆動）トルクの生成について具体的に説明する。
ユーザ選択部によって調節された調節信号に対応する調節トルクは、基本電流マップ１３２によって生成された駆動トルクを調節するために用いられる。
【００１９】
図２に示すように、付加電流マップ１３４２は、基本電流マップ１３２を所定の縮小比率で縮小したマップであって、基本電流マップ１３２によって生成された駆動トルクに比べて所定の縮小比率だけ縮小された縮小駆動トルクを生成する。
【００２０】
ここで、基本電流マップによって生成された駆動トルクを調節するために用いられる調節トルクは、付加電流マップ１３４２によって縮小された縮小駆動トルクを、ユーザ選択部１１０から伝達された調節信号によって調節する調節段１３４４によって生成される。一般的に、調節段１３４４は、調節信号に対応して縮小駆動トルクを所定の比率で増幅する形態で調節する。
【００２１】
駆動トルク補償マップ１３６は、車両の走行状態に対応して付加機能ロジック１３４によって調節された調節駆動トルクを補償する。駆動トルク補償マップ１３６は、一般的にダンピング補償、復元制御、慣性補償、フリクション補償などの多様な補償ロジックを含む。
駆動ロジック１３８は、駆動トルク補償マップ１３６によって補償された補償駆動トルクによって駆動モータ部１２０を制御する。
【００２２】
表示ロジック１３９は、ユーザ選択部１１０の調節信号によって変更する補償駆動トルクに対応する操向ホイールの操舵力を算出し、算出された操向ホイールの操舵力に対応する画像が表示されるように表示部１４０を制御する。このような画像は、操向ホイールの操舵力の変更状態を表示するグラフであることができる。
【００２３】
以下、図３を参照しながら、本発明の第２実施形態に係る電動式操向装置２００について説明する。本実施形態に係る電動式操向装置２００は、第１実施形態と類似して、ユーザ選択部２１０、駆動モータ部２２０、および制御部２３０で構成され、第１実施形態とは制御部２３０で実行される動作のみが異なる。
したがって、以下では制御部２３０の動作を中心に説明し、他の構成についての説明は省略する。
【００２４】
第２実施形態に係る制御部２３０は、基本電流マップ２３２、駆動トルク補償マップ２３６、付加機能ロジック２３４、及び駆動ロジック２３８に分けることができる。
基本電流マップ２３２は、第１実施形態と同様に、車両のＣＡＮ通信を通じて入力された操向トルクおよび車速を利用して、ラックと連動した駆動モータ部２２０を制御する車速別駆動トルクを生成する。
【００２５】
駆動トルク補償マップ２３６は、第１実施形態とは異なり、まず、基本電流マップ２３２によって生成された駆動トルクを補償する。
そして、付加機能ロジック２３４は、付加電流マップ２３４２を備えることと調節駆動トルクを生成する過程とが図２に示す第１実施形態と同じであるが、第１実施形態とは異なり、第２実施形態に係る付加機能ロジック２３４は、駆動トルク補償マップ２３６によって補償された補償駆動トルクを調節する。駆動ロジック２３８は、このように調節された調節駆動トルクを利用して駆動モータ部２２０を制御する。
【００２６】
表示ロジック２３９は、ユーザ選択部１１０の調節信号によって変更する調節駆動トルクに対応する操向ホイールの操舵力を算出し、算出された操向ホイールの操舵力に対応する画像が表示されるように表示部２４０を制御する。このような画像は、操向ホイールの操舵力の変更状態を表示するグラフであることができる。
【００２７】
このように、本実施形態に係る電動式操向装置１００、２００は、付加電流マップ１３４２、２３４２を備えた付加機能ロジック１３４、２３４により、駆動モータ部１２０、２２０の駆動のための基本ロジックによって生成された補助トルク量の算出根拠を反映して運転者の選択による操舵力の調節を実行することができ、運転者の運転の利便性を向上させることができる。
【符号の説明】
【００２８】
１００、２００        電動式操向装置
１１０、２１０        ユーザ選択部
１２０、２２０        駆動モータ部
１３０、２３０        制御部
１３２、２３２        基本電流マップ
１３４、２３４        付加機能ロジック
１３６、２３６        駆動トルク補償マップ
１３８、２３８        駆動ロジック
１３９、２３９        表示ロジック
１４０、２４０        表示部
１３４２、２３４２    付加電流マップ
１３４４              調節段
【図１】
0006043498.tif 000002
【図２】
0006043498.tif 000003
【図３】
0006043498.tif 000004